【手続補正書】
【提出日】平成18年9月1日(2006.9.1)
【手続補正１】
【補正対象書類名】明細書
【補正対象項目名】０００９
【補正方法】変更
【補正の内容】
【０００９】  図１から図５のアームリフターの昇降はリフター駆動部の中央にネジ状の穴を形成し、モーターに取り付けられたボルト状のものが回転することにより行うようにした。図９から図１３のアームリフターは歯車にバー状のリフターを形成して、歯車が回転することによりリフターの昇降を行うようにしている。スイッチＡとスイッチＢは図１５に説明しているが、電流を流す為の金属部分は薄く細長い板状のもので、金属接点と絶縁体で構成されている。リフター本体の図面はレコードプレーヤーに取り付け時のターンテーブル方向から見た形で書いている。そのためにアームの図面は断面図となって丸く描かれている。
【手続補正２】
【補正対象書類名】明細書
【補正対象項目名】００１５
【補正方法】変更
【補正の内容】
【００１５】  図６は請求項２の電源を１個使用したアームリフターの構造図である。スイッチＡとスイッチＢは前に述べた請求項１に使用している物と形式は同じであるが、大きさや幅が用途に合わせるため異なってくる。説明を簡単にするため図面を２つにした。図Ａがプレーヤーに取り付けた場合ターンテーブルの方向から見た側面図で、図Ｂが右側面図である。１つの図面ではスイッチの動作と配線図が解かり難いため、２つの図面を連動させる事で説明している。このリフターは減速付きの小型モーターを利用して、リフターとなるバーを取り付けた円盤を低速で回転させる事で目的を達するようにしている。図６は初期状態であるが、回路に電源を繋ぐと図６のような初期状態に自動的になる。モーターの軸に円盤を取り付け、その円盤の一端にリフターとなるバーを取り付ける。そのバーには滑り止めの発泡樹脂が巻いてある。初期状態では図６のようにリフターは円盤の下部に位置する。このときスイッチＡは自然な状態で接点Ａの１に接触しており、スイッチＢは接点Ｂの１はモーターの回転により下がってきたリフターに接点を切られ導通していない。スイッチＡは接点Ａの２に接触していないのでスイッチＢの接点Ｂの２が接触していても電流は流れずリフターは静止状態である。この状態では電力の消耗はない。
【手続補正３】
【補正対象書類名】明細書
【補正対象項目名】００１６
【補正方法】変更
【補正の内容】
【００１６】  図７はレコード上のアームが内周に来て、スイッチＡを押す事で接点Ａの２を接触させる。この時スイッチＢは接点Ｂの２に導通している為、モーターは右回転をはじめモーターに取り付けられた円盤に付いているリフターが回転しアームを持ち上げている様子である。
【手続補正４】
【補正対象書類名】明細書
【補正対象項目名】００１７
【補正方法】変更
【補正の内容】
【００１７】  図８は円盤に取り付けられたリフターが円盤の上方に来ると、リフターによりスイッチＢの接点Ｂの２が切り離されて、モーターの回転は停止する。リフターはアームを持ち上げたまま停止している様子である。このときも電力の消耗はない。スイッチＡの接点Ａの１は接触していないがスイッチＢの接点Ｂの１に接触している。
【手続補正５】
【補正対象書類名】明細書
【補正対象項目名】００１８
【補正方法】変更
【補正の内容】
【００１８】  アームを取り去ると、スイッチＡは元に戻り接点Ａの１が接触し導通状態となる。スイッチＢの接点Ｂの１が導通している為、モーターは右回転をはじめ円盤に付いているリフターは図８の点線で書かれた矢印の方向に回転し下がり始める。そして、リフターが下方に達した時スイッチＢの接点Ｂの１を切り離し回転は停止して、図６の初期状態となる。プレーヤーにセットして使用すると、このような動きが繰り返される。電力の消耗はリフターが回転する短い時間のみで、停止中には電力の消耗はない。また、このリフターの場合は電池を逆に繋ぐと円盤に付いているリフターは左回転するが正常に使用できる。また、このアームリフターは電池を２個使用し、請求項１のアームリフターと同じように結線する事で半回転でリフターを上げ、逆半回転でリフターが降りるようにすることも出来る。
【手続補正６】
【補正対象書類名】明細書
【補正対象項目名】００１９
【補正方法】変更
【補正の内容】
【００１９】  請求項１では自然なアームの動きや自然な操作によりスイッチが自動的に切り替わり動作する。直流モーターの電源端子がスイッチと２個の電源によりプラスとマイナスが入れ替わるようにしてアームリフターの上がり下がりを決定している。
【手続補正７】
【補正対象書類名】明細書
【補正対象項目名】００２１
【補正方法】変更
【補正の内容】
【００２１】  スイッチＡはフリーな状態ではＡの１に接触しているが、アームがレコードの最内周に来るとスイッチＡを押す。梃の原理で非常に弱い力で接点Ａの２へ切り替わるようになっている。
【手続補正８】
【補正対象書類名】明細書
【補正対象項目名】００３６
【補正方法】変更
【補正の内容】
【００３６】
【図１】  請求項１のアームリフターに高さ調整台が取り付けられた側面図であるが配線図を省略している。
【図２】  請求項１のアームリフターの配線図を示した。セットした初期状態の側面図である。
【図３】  請求項１のアームリフターが動作してアームを持ち上る過程の状態の側面図である。
【図４】  請求項１のアームリフターが動作してアームを持ち上げた状態の側面図である。
【図５】  請求項１のアームリフターが動作して持ち上げたアームを手で取り去った状態の側面図である。
【図６】  請求項２のアームリフターであるが、解かりやすいようにＡの側面図とＢの右側面図と電池を取り出して書き、配線図を書き入れた初期状態の図面である。
【図７】  請求項２のアームリフターが動作して、アームを持ち上げている途中の図面である。
【図８】  請求項２のアームリフターがアームを上げ終わり停止している時の図面である。
【図９】  請求項１の歯車を利用したアームリフターの側面図であるが配線図を省略している。
【図１０】  請求項１の歯車を利用したアームリフターの配線図を示した。セットした初期状態の側面図である。
【図１１】  請求項１の歯車を利用したアームリフターが動作してアームを持ち上る過程の状態の側面図である。
【図１２】  請求項１の歯車を利用したアームリフターが動作してアームを持ち上げた状態の側面図である。
【図１３】  請求項１の歯車を利用したアームリフターが動作して持ち上げたアームを手で取り去った状態の側面図である。
【図１４】  アームリフターの取り付け位置を示したプレーヤーの図である。
【図１５】  アームリフターに使用したスイッチＡとスイッチＢの詳細である。
【手続補正９】
【補正対象書類名】明細書
【補正対象項目名】００３７
【補正方法】変更
【補正の内容】
【００３７】１、２  電池
３  リフター駆動部
４  スイッチＡ
５  接点Ａの１
６  接点Ａの２
７  スイッチＢ
８  接点Ｂの１
９  接点Ｂの２
１０  駆動モーター
１１  駆動部の爪
１２  定電流回路又は抵抗の取り付けスペース
１３  高さ調整台
１４  スペーサー
１５  ピックアップアーム
１６  モーターに取り付けられた円盤
１７  細長い板バネの金属
１８  金メッキされた接点
１９  絶縁体
２０  ハンダ端子
２１  駆動部の凹み
２２  本体
２３  ピックアップ部
２４  レコードの内周
２５  アームリフターの設置場所
【手続補正１０】
【補正対象書類名】図面
【補正対象項目名】図６
【補正方法】変更
【補正の内容】
【図６】
2006345467.tif 000001
【手続補正１１】
【補正対象書類名】図面
【補正対象項目名】図７
【補正方法】変更
【補正の内容】
【図７】
2006345467.tif 000002
【手続補正１２】
【補正対象書類名】図面
【補正対象項目名】図８
【補正方法】変更
【補正の内容】
【図８】
2006345467.tif 000003
【手続補正１３】
【補正対象書類名】図面
【補正対象項目名】図１５
【補正方法】追加
【補正の内容】
【図１５】
2006345467.tif 000004